Podtech/llm-jp-corpus-v4-ja_patent huggingface dataset:
(57)【要約】【課題】  木口面及び板面との出隅部を同時に被覆して安全性を向上し、しかも金属製でサッシ戸と調和して意匠性に優れ、さらにサッシ戸の厚み変更に柔軟に応じて容易且つ低コストにて製作できるコーナー保護カバーを取り付けたサッシ戸を提供する。【解決手段】  縦框と横框を直角に突き合わせて接合したコーナー出隅部に框間の継ぎ目を被覆するようにコーナー保護カバーを取り付けたサッシ戸において、前記コーナー保護カバー１が、断面コ字状に折り曲げた金属板材２の左右の折曲片３に直角三角形状の切欠部４をそれぞれ形成し、同切欠部４の直角入隅に小径の扇状切欠部５を更に形成し、同扇状切欠部５を基点に金属板材２を内側へＬ字状に折り曲げて折曲出隅部に金属の延伸による丸みを形成したものを取り付ける。【選択図】          図１
0003102351.tif 000002
【実用新案登録請求の範囲】
【請求項１】
縦框と横框を直角に突き合わせて接合したコーナー出隅部に框間の継ぎ目をコーナー保護カバーで被覆するように取り付けたサッシ戸において、前記コーナー保護カバーが、断面コ字状に折り曲げた金属板材の左右の折曲片の中央部に直角三角形状の切欠部をそれぞれ形成し、同切欠部の直角入隅に小径の扇状切欠部をさらに形成し、同扇状切欠部を基点に金属板材を内側へＬ字状に折り曲げ、各折曲出隅部に丸みを形成したものであることを特徴とするサッシ戸。
【考案の詳細な説明】
【技術分野】
【０００１】
本考案は、縦框と横框を直角に突き合わせて接合したコーナー出隅部に框間の継ぎ目を被覆するようにコーナー保護カバーを取り付けたサッシ戸に関する。
【背景技術】
【０００２】
従来、サッシ戸などの扉体のコーナー出隅部にＬ字状の保護カバーを取り付けてケガを防止する技術が特許文献１〜３で提案されている。特許文献１の技術は、板材を折曲したＬ字状のコーナーカバー材を扉パネル出隅部の木口面間に渡って取り付けるものである。特許文献２の技術は、開閉用扉の出隅部の木口面間及び板面を被覆できるようにゴムで立体成形した保護部材である。特許文献３の技術は、ロッカー扉の出隅部の木口面及び板面を被覆できるようにゴムや塩化ビニルで立体成形したコーナーキャップである。
【０００３】
ところで、特許文献１の技術は木口面と板面の出隅部は依然鋭利であるから、ケガをする危険性が残る問題がある。また、特許文献２，３の技術は扉体とは別素材で意匠性に劣り、金型で成形するから扉体の厚さが変更になる度に高価な金型作り直す必要があり、コストがかかる問題があった。
【特許文献１】特開平７−２５２９８０号公報
【特許文献２】特開平９−２２８７５０号公報
【特許文献３】特許第３３６８４２３号公報
【考案の開示】
【考案が解決しようとする課題】
【０００４】
本考案が解決しようとする課題は、従来のこれらの問題点を解消し、木口面間及び板面との出隅部を同時に被覆して安全性を向上し、しかも金属製でサッシ戸と調和して意匠性に優れ、さらにサッシ戸の厚み変更等に柔軟に応じて容易且つ低コストにて製作できるコーナー保護カバーを取り付けたサッシ戸を提供することにある。
【課題を解決するための手段】
【０００５】
かかる課題を解決した本考案の構成は、
１）  縦框と横框を直角に突き合わせて接合したコーナー出隅部に框間の継ぎ目をコーナー保護カバーで被覆するように取り付けたサッシ戸において、前記コーナー保護カバーが、断面コ字状に折り曲げた金属板材の左右の折曲片の中央部に直角三角形状の切欠部をそれぞれ形成し、同切欠部の直角入隅に小径の扇状切欠部をさらに形成し、同扇状切欠部を基点に金属板材を内側へＬ字状に折り曲げ、各折曲出隅部に丸みを形成したものであることを特徴とするサッシ戸
にある。
【考案の効果】
【０００６】
本考案によれば、折り曲げた金属部材の出隅部は金属の延伸で丸く形成され、木口面間及び板面との出隅部を保護してケガを防止できる。また、金属製であるからサッシ戸と調和して意匠性に優れる。さらに、金属板材を折曲及び切欠して形成するから、高価な金型を必要とせず、形状や寸法に変更が生じても容易に対応でき、低コストにて製作できる。
【考案を実施するための最良の形態】
【０００７】
本考案のコーナー保護カバーは、厚さ０．３〜１．０ｍｍ程度のステンレスやアルミニウム等の薄物の金属板材を打抜き機等で所要の形状に切欠して折り曲げられるもので、サッシ戸への取り付けはネジや接着により成される。なお、扇状切欠部は全体をＬ字状に折曲する際、切欠部の入隅が外側へシワが寄るように盛り上がるのを防止するために成されるものである。以下、本考案の実施例を図面に基づいて具体的に説明する。
【実施例１】
【０００８】
図１は実施例のコーナー保護カバーの斜視図、図２は実施例のコーナー保護カバーの製作を示す説明図、図３は実施例のコーナー保護カバーを取り付けた正面図である。図中、１はコーナー保護カバー、２は金属板材、３は折曲片、４は切欠部、５は扇状切欠部、６は縦框、７は横框、８はサッシ戸、９はガラス板、１０は突き合わせ部である。
【０００９】
本実施例のコーナー保護カバー１は、図１，２に示すように金属板材２の断面コ字状に折り曲げられるべき折曲片３に直角三角形状の切欠部４をそれぞれ形成し、同切欠部４の直角入隅に小径の扇状切欠部５をさらに形成し、各折曲片３を折り曲げて断面コ字状に形成し、さらに扇状切欠部５を基点に全体を内側へＬ字状に折り曲げて折曲出隅部に金属の延伸によりそれぞれ丸みを形成させる。
【００１０】
サッシ戸８は、図３に示すように端部を４５度角に加工した中空の縦框６と横框７を図示しないコーナーブロック等の接合具で直角に突き合わせて接合し、その突き合わせ部１０に前記コーナー保護カバー１をネジ又は接着等の手段で嵌着する。
【００１１】
本実施例はこのように構成したから、折り曲げた金属板材２の出隅部は金属の延伸で丸く形成され、木口面間及び板面との出隅部を保護してケガを防止できる。また、金属製であるからサッシ戸８と調和して意匠性に優れるものとなった。さらに、金属板材２を折曲及び切欠して形成するから、高価な金型を必要とせず、形状や寸法に変更が生じても容易に対応でき、低コストにて製作できた。
【産業上の利用可能性】
【００１２】
本考案は、住宅等の開口部に取り付けられるサッシ戸の他、框を枠組みして構成される額縁などに応用できる。
【図面の簡単な説明】
【００１３】
【図１】実施例のコーナー保護カバーの斜視図である。
【図２】実施例のコーナー保護カバーの製作を示す説明図である。
【図３】実施例のコーナー保護カバーの取り付けたサッシ戸の正面図である。
【符号の説明】
【００１４】
１  コーナー保護カバー
２  金属板材
３  折曲片
４  切欠部
５  扇状切欠部
６  縦框
７  横框
８  サッシ戸
９  ガラス板
１０  突き合わせ部
【図１】
0003102351.tif 000003
【図２】
0003102351.tif 000004
【図３】
0003102351.tif 000005
(57)【要約】      （修正有）【課題】鉄筋コンクリート製雨水浸透桝の蓋の製造を効率よく行う型枠を提供する。【解決手段】２つの各々取手のついた半円状の型枠に、中央に基台２を設ける。２つの半円状の型枠は２つのクランプで接合固定され、基台が低く、型枠が高いものが出来上がり、そこにコンクリートを流し込み、製品を作る。基台には４本の棒６が立てられ、これは４つの孔となって製品に現れる。また、基台には２つの取手用凸部４が設けられ、これは製品に凹部を形成し、取手３となる。基台は中央に向かって段々低くなりこれは製品が中央に向かって高くなるものである。【選択図】図1
0003102355.tif 000002
【実用新案登録請求の範囲】
【請求項１】
取手のついた２つの半円状の型枠の中央にその型枠よりやや低く基台を設け、その基台には製品が出来た時４つの孔となる４本の棒と、製品が出来た時２つの凹部となる、２つの取手用凸部を設け、その２つの半円状の型枠を接合固定し、円形とするクランプを外側に２つ設け、接合後両型枠と、基台で低い円筒形を作る鉄筋コンクリート製雨水浸透桝の蓋の製造用型枠。
【考案の詳細な説明】
【技術分野】
【０００１】
本考案は、鉄筋コンクリート製雨水浸透桝の蓋の製造用型枠に関する。
【背景技術】
【０００２】
本考案は実用新案登録第３０８５８５５号を実施、製造するための型枠である。
【特許文献１】今までに先行する特記すべきものはない。
【非特許文献１】同じ出願人の考案の実施に特別に用いるもので、他に文献はない。
【考案の開示】
【考案が解決しようとする課題】
【０００３】
実用新案登録第３０８５８５５号の製造を効率良く行う型枠を提供する。
【課題を解決するための手段】
【０００４】
本考案は、取手のついた２つの半円状の型枠の中央にその型枠よりやや低く基台を設け、その基台には製品が出来た時４つの孔となる４本の棒と、製品が出来た時２つの凹部となる、２つの取手用凸部を設け、その２つの半円状の型枠を接合固定し、円形とするクランプを外側に２つ設け、接合後両型枠と、基台で低い円筒形を作る鉄筋コンクリート製雨水浸透桝の蓋の製造用型枠に関する。
【考案の効果】
【０００５】
実用新案登録第３０８５８５５号の製品を効率良く作り、又、一般的に言っても優れた型枠である。
【考案を実施するための最良の形態】
【０００６】
半円状の右型枠１が基台２より少し高くなっていて、取手３がついている。基台２には製品が出来た所が取手溝となる合成樹脂製の取手用凸部４が下から軸止されている。又、基台２には、中央に模様５と滑り止め用の凹凸がつき、製品が出来上がった時雨等で人が滑らないようになっている。又、基台２は全体が中央に向かって低くなっており、これは製品が中央へ向かって高くなるようになっているものである。
【０００７】
又、基台２には、製品に空気孔をつけるための棒６を４本立てる。これは、製品に４つの空気孔がつくものである。
【０００８】
又、左側には半円状の左型枠７がつき、右型枠１と右型枠７は互いに端部で接し、２つのクランプ８、９により２ヶ所で緊締される。又、左型枠７にも同じく取手１０が設けられる。
【０００９】
操作は、半円状の両型枠を２つのクランプで締め、４つの棒を立て中にコンクリートを流し込む。これにより製品が出来上がる。両型枠を基台により、低い円筒状を形成し、そこにコンクリートを流し込むものである。
【産業上の利用可能性】
【００１０】
当該の実用新案の実施に適し、他の製品にも充分利用できる。
【図面の簡単な説明】
【００１１】
【図１】平面図である。
【図２】側面図である。
【図３】斜視図である。
【符号の説明】
【００１２】
１  右型枠
２  基台
３  取手
４  取手用凸部
５  模様
６  棒
７  左型枠
８  クランプ
９  クランプ
１０  取手
【図１】
0003102355.tif 000003
【図２】
0003102355.tif 000004
【図３】
0003102355.tif 000005
(57)【要約】      （修正有）【課題】肌に優しい靴下に関し、さらに詳しくは化学繊維に敏感に反応するアトピー症等の体質を持つ着用者(特に、乳幼児を含む子供の場合に効果的)が、肌に接する部分に化学繊維素材を使用しない靴下を提供して、安心して着用できる靴下を提供する。【解決手段】靴下の内面側に位置する内面層を天然綿素材で形成し、靴下の外面側に位置する外面層を化学繊維素材で形成した。また、天然綿素材の表面に、ひまし油から抽出される脂肪酸トリグリセリドを塗布した。【選択図】図２
0003102360.tif 000002
【実用新案登録請求の範囲】
【請求項１】
靴下の内面側に位置する内面層を天然綿素材で形成し、靴下の外面側に位置する外面層を化学繊維素材で形成したことを特徴とする靴下。
【請求項２】
前記天然綿素材の表面に、ひまし油から抽出される脂肪酸トリグリセリドを塗布したことを特徴とする請求項１記載の靴下。
【考案の詳細な説明】
【技術分野】
【０００１】
本考案は、肌に優しい靴下に関し、さらに詳しくは化学繊維に敏感に反応するアトピー症等の体質を持つ着用者(特に、乳幼児を含む子供の場合に効果的)が、安心して着用できる靴下に関する。
【背景技術】
【０００２】
従来の靴下は、天然綿素材１００％という触れ込みでも、靴下の弾力性や伸縮性を確保する関係で、視覚で判断される側の靴下の外面層のみを天然綿素材製の糸で編みたて、視覚では判断できない肌が触れる内面側の靴下の内面層はポリエステル、ナイロン、ポリウレタン等の化学繊維素材製の糸で編みたてられていた。
【特許文献１】実開平２−１０４０４号公報
【考案の開示】
【考案が解決しようとする課題】
【０００３】
上記した従来の靴下では、肌に当たる内面層を化学繊維素材製の糸で編みたてていたので、化学繊維に敏感なアトピー症の子供等には、使用することができないという問題点があった。
【０００４】
上記のことからアトピー症の子供たちは、冬でも靴下をはかないように我慢したり、あるいはどうしても靴下をはかなければならない場合には、天然綿素材１００%の包帯で足の露出部分を全て覆い、その上から靴下をはかせるというような苦労をしていた。
【０００５】
本考案は、アトピー症の子供たちに対しても、安心して履かせることができる靴下を提供して、上記の全ての問題点を解消せんとするものである。
【課題を解決するための手段】
【０００６】
上記目的を達成するために、請求項１記載の考案は、靴下の内面側に位置する内面層を天然綿素材で形成し、靴下の外面側に位置する外面層を化学繊維素材で形成したことを特徴とする靴下である。
【０００７】
本考案に係る靴下は、肌に触れる内面層部分が全て天然綿素材で形成されているため、この靴下をはく子供たちは、肌に化学繊維が触れることがなくなり、靴下を履いても化学繊維素材が原因となるアトピー症状の発症を防止する。
【０００８】
請求項２は、前記天然綿素材の表面に、ひまし油から抽出される脂肪酸トリグリセリドを塗布したことを特徴とする請求項１記載の靴下である。
【０００９】
この靴下によれば、脂肪酸トリグリセリドの抗菌効果が得られ、衛生的な靴下となる。
【考案の効果】
【００１０】
以上述べたように、請求項１による靴下によれば、肌に接する内面層には必ず天然綿素材が使用されているので、化学繊維素材を原因とするアトピー症状の発症という弊害を引き起こさず、極めて安全な靴下が得られるという効果がある。
【００１１】
請求項２は、着用者の足部の衛生を確保することができ、黴の発生を抑えて水虫や臭気の発生という問題を解消させる効果がある。
【考案を実施するための最良の形態】
【００１２】
以下添付図面に基づいて、本考案に係る靴下の実施例を詳説する。
図1は本考案に係る靴下を示す一部を切欠した正面図、図２は同縦断面図である。
【実施例１】
【００１３】
図１及び図２に示す靴下１は、内面層２と外面層３の二重構造に編みたてられている。
また図中の符号４は爪先の縫合部、５は踵部、６は口ゴム部である。
【００１４】
本考案の内面層２は、靴下１の内面側の全面に位置し着用者の肌に接する部分であり、天然綿素材(綿糸)で形成される。すなわち内面層２は靴下１の本体部のみならず、口ゴム部６の内面にも配されるようになっている。
また外面層３は、靴下１の外面側に位置し着用者の肌に接しない部分であり、この部分は靴下１の強度や弾力性、伸縮性を考慮して化学繊維素材で形成されている。
【００１５】
ここで化学繊維素材の例としては、ポリエステル糸、ナイロン糸、ポリウレタン糸（これらを組み合わせてスパンデックスとなる）等が挙げられる。
【００１６】
上記の綿糸、ポリエステル糸、ナイロン糸、ポリウレタン糸等を、通常の靴下の編み方に従い、表糸と芯糸と裏糸とを靴下編み機の給糸ガイドを通じて靴下編み機に供給する。
【００１７】
また天然綿素材(綿糸)の表面に、ひまし油から抽出される脂肪酸トリグリセリドの抽出液を塗布すると、天然綿素材の抗菌力が増し、肌に接する天然綿素材部の黴などに対する効果が向上する。
【００１８】
化学繊維素材糸の一例としては、芯糸として３０デニール程度のポリウレタンを使用し、それに巻く表糸として７０デニール程度のナイロン、ポリエステルを使用することが良く、本考案では外面層３に伸縮性に富む化学繊維素材を使用したので靴下全体の締め付け度が緩いものとなり、足に負担をかけることなく、履き心地が向上する結果となる。
【産業上の利用可能性】
【００１９】
本考案の靴下は、靴下製造産業において利用される。
【図面の簡単な説明】
【００２０】
【図１】本考案に係る靴下を示す一部を切欠した正面図である。
【図２】図２は同縦断面図である。
【符号の説明】
【００２１】
１…靴下
２…内面層
３…外面層
４…爪先の縫合部
５…踵部
６…口ゴム部
【図１】
0003102360.tif 000003
【図２】
0003102360.tif 000004
(57)【要約】【課題】  既設の嵌め殺し窓開口部の空間と窓枠を使い、小物を収納したり、花を飾ったりすることのできる棚を構築することで、居室における空間をより有効活用し、窓まわりに潤いのある雰囲気を創り出す。【解決手段】  窓枠の対向する側板の双方の同位置に、水平方向に所定の間隔で複数の穴を空けた側板３と天板４と底板５からなる窓枠１３を窓開口部に設置する。前記側板３の穴に棚受ダボ雌ネジ６および棚受ダボ雄ネジ７を取り付ける。棚板９に固定クリップ８の棚支持部８ａを取り付けて前記棚受けダボ雄ネジ７の上に配置し、前記固定クリップ８のネジ支持部８ｂを前記棚受ダボ雄ネジ７にはめ込んで、前記棚板９を固定支持する。【選択図】  図１
0003102370.tif 000002
【実用新案登録請求の範囲】
【請求項１】
嵌め殺し窓開口部を利用した収納兼飾り棚であって、対向する側板の双方の同位置に、水平方向に所定の間隔で複数の穴を設けた前記側板と天板と底板からなる窓枠を窓開口部に設置し、前記穴に棚受ダボ雌ネジおよび棚受ダボ雄ネジを取り付け、固定用クリップの棚支持部を取り付けた棚板を、前記棚受ダボ雄ネジの上に配置し、前記固定用クリップのネジ支持部を前記棚受ダボ雄ネジにはめ込んで固定支持することを特徴とした収納兼飾り棚。
【考案の詳細な説明】
【考案の詳細な説明】
【技術分野】
【０００１】  本考案は、小物を収納したり、花を飾ったりすることを目的とした固定式（造り付け）の収納兼飾り棚に関するものである。
【背景技術】
【０００２】  一般に、従来の固定式（造り付け）の収納兼飾り棚は、室内の空間を狭めずに構築するため、壁面の一部を凹状にへこませて空間（ニッチ）を造り、その空間に側板、天板、床板、棚板などをはめ込んで構築している。固定式（造り付け）の収納兼飾り棚は、収納の役目を果たすだけでなく、小物を飾ったりすることでインテリアのアクセントにもなり美観的にも優れるため、居住者は固定式（造り付け）の収納兼飾り棚の構築を要望する場合が多い。
【考案が解決しようとする課題】
【０００３】  しかしながら、従来の固定式（造り付け）の収納兼飾り棚は、わざわざ壁面の一部を凹状にへこませて空間（ニッチ）を造り、その空間に側板、天板、床板、棚板などをはめ込んで構築するため、この場合は材料費や施工上の手間が多く必要であった。
【０００４】  そこで、本考案は、室内の空間を狭めたり、壁面の一部を凹状にへこませて空間（ニッチ）を造り出したりすることなく、嵌め殺し窓開口部の空間と窓枠を有効的に利用して、収納兼飾り棚を構築しようとするものであり、なおかつ、構築するために必要な材料費や施工上の手間を少なくして、コストを低減させることを目的とするものである。
【課題を解決するための手段】
【０００５】  以上の目的を達成するために、本考案の嵌め殺し窓開口部を利用した収納兼飾り棚は、対向する側板の双方の同位置に、水平方向に所定の間隔で複数の穴を設けた前記側板と天板と底板からなる窓枠を、嵌め殺し窓開口部に構築し、前記穴に棚受ダボ雌ネジおよび雄ネジを取り付けて、棚板には固定用クリップの棚支持部を取り付けて前記棚受ダボ雄ネジの上に配置し、前記固定用クリップのネジ支持部を前記棚受けダボ雄ネジにはめ込んで固定支持することからなる収納兼飾り棚である。
【考案を実施するための最良の形態】
【０００６】  以下、本考案の実施の形態の一例を、添付図面を参照して詳細に説明する。【０００７】  図１は、本考案の収納兼飾り棚が構築された状況の斜視図である。図２は、本考案の収納兼飾り棚が構築された状況の断面図である。【０００８】  図１中、１は室内の壁、２は室内の床である。対向する側板の双方の同位置に、水平方向に所定の間隔で２カ所の穴を空け、さらに垂直方向に所定の間隔で６カ所の穴を空けた側板３と天板４と底板５からなる窓枠１３が、壁１にある窓開口部１４に構築されている。また、側板の垂直方向に所定の間隔で空ける穴の数は、必要に応じて設定されるものである。【０００９】  １２は嵌め殺し窓のガラスである。ガラス１２にはサッシ１０が取り付けられており、サッシ１０は、ビス１１により窓枠１３と固定支持されている。これらの嵌め殺し窓は、開閉されることのない窓である。【００１０】  側板３の穴には、棚受ダボ雌ネジ６を取り付ける。棚受ダボ雄ネジ７は、必要に応じた箇所の棚受ダボ雌ネジ６に取り付けられる。棚受ダボ雄ネジ７の上には、固定クリップ８の棚支持部８ａを取り付けた棚板９が配置され、前記固定クリップ８のネジ支持部８ｂを前記棚受ダボ雄ネジ７にはめ込むことで、棚板９は固定支持される。【００１１】  このように、嵌め殺し窓開口部を利用して構築された収納兼飾り棚には、花を差した花瓶１４を飾ったり、プラモデルカー１５やぬいぐるみ１６などの小物を飾ったりすることができる。
【考案の効果】
【００１２】  本考案は、室内の空間を狭めたり、壁面の一部を凹状にへこませて空間（ニッチ）を造ったりすることなく、嵌め殺し窓開口部の空間と窓枠を有効的に利用して、材料や手間を少なくしてコストを低減しながら、収納兼飾り棚を構築できるものである。本考案の収納兼飾り棚には、花や小物を居住者の好みに応じて飾れるのはもちろんのこと、収納兼飾棚内に、嵌め殺し窓のガラスを通して外からの明るい陽射しが差し込むため、カラーガラスの小物を飾ったりするとその陽射しの光が反射して、より一層美しく潤いのある雰囲気を居室内にもたらすことができる。
【図面の簡単な説明】
【図１】  収納兼飾り棚を嵌め殺し窓開口部に構築した斜視図である。
【図２】  収納兼飾り棚を嵌め殺し窓開口部に構築した断面図である。
【符号の説明】
１  壁
２  床
３  窓枠の側板
４  窓枠の天板
５  窓枠の底板
６  棚受ダボの雌ネジ
７  棚受ダボの雄ネジ
８  固定クリップ
８ａ  固定クリップの棚支持部
８ｂ  固定クリップのネジ支持部
９  棚板
１０  サッシ
１１  ビス
１２  ガラス
１３  窓枠
１４  嵌め殺し窓開口部
【図１】
0003102370.tif 000003
【図２】
0003102370.tif 000004
(57)【要約】      （修正有）【課題】追突防止の自動警告システムの提供。【解決手段】コントローラ1、一組以上のセンサ2、発光器3、発声器4、電池電源5及び予備電池電源6で組成され、交通工具に取り付けられ、衝撃発生時に、センサが検出した信号がコントローラに送られ、コントローラより発光器及び発声器に通知して強光と大きな音を発生させるか、或いは自動警報システムを駆動し、適時に後方車両に知らせて追突を防止し、その発生する通報機能により救援までの時間を短くする。【選択図】図１
0003102361.tif 000002
【実用新案登録請求の範囲】
【請求項１】
コントローラ、一組以上のセンサ、発光器、発声器、電池電源及び予備電池電源で組成され、そのうち一組以上のセンサが相互に並列にコントローラに接続され、発光器と発声器がコントローラの別端に接続され、その制御回路に電池電源により電力が提供され、電池電源失効時に、予備電池電源により電力が提供され、衝突が発生する時、センサが検出した信号がコントローラに送られ、コントローラが発光器及び発声器に通知して強光と大きな音を発生させることを特徴とする、追突防止の自動警告システム。
【請求項２】
請求項１記載の追突防止の自動警告システムにおいて、コントローラの一端に、センサと並列に手動スイッチが接続され、該手動スイッチがドライバーの傍らに設置され、センサが検出動作を行なわない時に、手動スイッチを駆動して発光器と発声器に強光と大きな音を発生させられることを特徴とする、追突防止の自動警告システム。
【請求項３】
請求項１記載の追突防止の自動警告システムにおいて、コントローラの一端に、発光器及び発声器と並列に、自動通報システムが接続され、自動通報機能を提供して救援までの時間を短縮することを特徴とする、追突防止の自動警告システム。
【考案の詳細な説明】
【技術分野】
【０００１】
本考案は一種の追突防止の自動警告システムに係り、特に、交通工具の故障或いは交通事故の時に適時に自動警告するシステムであり、速やかに後続車両に伝えて追突防止し、安全な運転環境を提供し、通行する人の生命安全を保障するシステムに関する。
【背景技術】
【０００２】
一般に道路の車両の走行において、前方車両が故障或いは交通事故を起こした際に、後続車両に即刻警告できずに重大な追突事故を引き起し、生命、財産の厳重な損失をもたらすことがよくある。
【考案の開示】
【考案が解決しようとする課題】
【０００３】
ゆえに、追突防止の自動警告システムにより、事故の発生すると即刻自動的に警告を発生して後方車両の注意を促して追突を防止し、玉突き等の重大な事故の発生を防止して交通の安全を保障することが求められている。
【０００４】
本考案の主要な目的は、一種の追突防止の自動警告システムを提供することにあり、それは、コントローラ、一組以上のセンサ、発光器、発声器、電池電源及び予備電池電源で組成され、交通工具に取り付けられ、衝撃発生時に、センサが検出した信号がコントローラに送られ、コントローラより発光器及び発声器に通知して強光と大きな音を発生させるか、或いは自動警報システムを駆動し、適時に後方車両に知らせて追突を防止するシステムである。
【課題を解決するための手段】
【０００５】
請求項１の考案は、コントローラ、一組以上のセンサ、発光器、発声器、電池電源及び予備電池電源で組成され、そのうち一組以上のセンサが相互に並列にコントローラに接続され、発光器と発声器がコントローラの別端に接続され、その制御回路に電池電源により電力が提供され、電池電源失効時に、予備電池電源により電力が提供され、衝突が発生する時、センサが検出した信号がコントローラに送られ、コントローラが発光器及び発声器に通知して強光と大きな音を発生させることを特徴とする、追突防止の自動警告システムとしている。
請求項２の考案は、請求項１記載の追突防止の自動警告システムにおいて、コントローラの一端に、センサと並列に手動スイッチが接続され、該手動スイッチがドライバーの傍らに設置され、センサが検出動作を行なわない時に、手動スイッチを駆動して発光器と発声器に強光と大きな音を発生させられることを特徴とする、追突防止の自動警告システムとしている。
請求項３の考案は、請求項１記載の追突防止の自動警告システムにおいて、コントローラの一端に、発光器及び発声器と並列に、自動通報システムが接続され、自動通報機能を提供して救援までの時間を短縮することを特徴とする、追突防止の自動警告システムとしている。
【考案の効果】
【０００６】
本考案の追突防止の自動警告システムは、衝撃発生時に、センサが検出した信号をコントローラに送り、コントローラより発光器及び発声器に通知して強光と大きな音を発生させて、速やかに後続車両の注意を引いて追突を防止することができ、また自動通報システムが警察に通報し、救援までの時間を短縮する。ゆえに本考案の実用性は明らかである。また、本考案の構造はその出願前に未公開であり、新規性を具備している。
【考案を実施するための最良の形態】
【０００７】
本考案は、コントローラ１、一組以上のセンサ２、発光器３、発声器４、電池電源５及び予備電池電源６で組成され、交通工具に取り付けられる。そのうち、コントローラ１の一端には一組以上のセンサ２が並列に接続され、コントローラ１の別端に発光器３と発声器４が並列に接続されている。このコントローラ１は、車に配備されている電池電源５（バッテリー）に外接されて電力が提供される。
【０００８】
衝撃発生時に、センサ２が検出した信号がコントローラ１に送られ、コントローラ１より発光器３及び発声器４に通知して強光と大きな音を発生させ、これにより後続車両の注意を促して追突を防止する。
【０００９】
もし軽い衝突であって、センサ２が検出せず動作しない時は、ドライバーは傍らの手動スイッチ７をオンし、信号をコントローラ１に送り、さらにコントローラ１より発光器３と発声器４に通知し、強光と大きな音を発生させ、これにより適時に速やかに後続車両に気づかせて追突を防止する。
【００１０】
しかし、もし厳重な追突で、もともと車に配備されている電池電源５が失効した場合は、本考案の追突防止の自動警告システムの予備電池電源６が電源を提供し、システムを正常に運転させ、強光と大きな音を発生させ、これにより速やかに後続車両に知らせて追突を防止する。
【００１１】
さらに、本考案はコントローラ１の一端に一組の自動通報システム８を増設可能で、これにより警察にオンラインすることができる。該自動通報システム８は発光器３と発声器４と並列に接続され、自動通報措置により救援までの時間を短縮する。
【図面の簡単な説明】
【００１２】
【図１】本考案の回路図である。
【符号の説明】
【００１３】
１  コントローラ          ２  センサ            ３  発光器
４  発声器                ５  電池電源          ６  予備電池電源
７  手動スイッチ          ８  自動通報システム
【図１】
0003102361.tif 000003
(57)【要約】      （修正有）【課題】目、肩、首の疲れをとり、なおかつ浴槽で使用する指圧器具であり、基板が吸盤式だと繰り返しの使用により浴槽にくっつきづらくなるので、吸盤を使用しない指圧器具にする。【解決手段】基板が薄いゴ厶製であれば、浴槽に乗せただけでも動きづらく、突起部分の幅を変えたサイズのものを数種類作る事で、個人の首つぼの位置に合わせた指圧器具を利用することができる。さらに、首つぼ全体を指圧できるよう、両耳側まで、高さの違いをつけたいくつかの突起のついた指圧器具を作る。【選択図】図１
0003102534.tif 000002
【実用新案登録請求の範囲】
【請求項１】
ゴム製で、首つぼの位置に合わせた２個の突起のついた基板を浴槽の上部に置く、風呂用指圧器具。
【請求項２】
請求項１において、個々により体格が違うので突起部分の幅を変えたサイズのものをいくつか作る。
【請求項３】
請求項１と同じく、基板と突起がゴ厶製であり、請求項１とは違い、首筋全体を指圧する風呂用指圧器具。首筋の高さに合うよう、首両はじ部分の突起が高く、中心になるにつれ低くなっている。
【考案の詳細な説明】
【技術分野】
【０００１】    本考案は、浴槽の上部に置き、基盤の上に突起を作り、首つぼを指圧する風呂用指圧器具である。
【背景技術】
【０００２】    従来、浴槽での設置部分が吸盤式で、１個ずつ計２個使用し、利用するものがある。
【考案の開示】
【考案が解決しようとする課題】
【０００３】    吸盤式だと、繰り返し使用することにより、浴槽にくっつきづらくなる上に、左右１個ずつの使用だとうまく首筋にあわせづらい。
【課題を解決するための手段】
【０００４】    基板がゴム製であれば、浴槽に乗せただけでも固定することができ、請求項１においては首筋に合わせた２つの突起があらかじめ固定されてあれば、自分で１個ずつ首筋に合わせる必要がなく、個人の体格の違いを考え、突起の幅を変えたサイズのものを数種類作る。
請求項３において、首筋全体を指圧できるよう、両耳側までいくつかの突起のついたものを作る。
【考案の効果】
【０００５】    首つぼの指圧により、目・肩・首の疲れがとれ、さらに、１人で風呂でリラックスして使用することができ、体が温まった状態となるので、効果が高く、温泉などどこにでも持って行き使用することができる。
【考案を実施するための最良の形態】
【０００６】    風呂でリラックスした状態で使用するのが良い。【０００５】同様、コンパクトに設計されてあるので、温泉などに持って行き、使用するとさらに効果が高いと思われる。
【実施例１】
【０００７】    自宅の風呂で使用する。【０００８】    温泉など、外出先で使用する。
【産業上の利用可能性】
【０００９】    肩こり、頭痛で悩まされている人は多いので、この商品が目につく人は多いと思われる。単純な設計なので低価格で商品化できると思われる。
【図面の簡単な説明】
【００１０】
【図１】    請求項１の全体図
【図２】    図１の断面図
【図３】    請求項３の全体図
【図４】    図３の断面図
【図５】    浴槽への設置図
【符号の説明】
【００１１】    １  浴槽上部に置く薄いゴム製の基板
２  首つぼを指圧できるよう、硬く、指圧部分が球形のゴ厶製のもの
【図１】
0003102534.tif 000003
【図２】
0003102534.tif 000004
【図３】
0003102534.tif 000005
【図４】
0003102534.tif 000006
【図５】
0003102534.tif 000007
【手続補正書】
【提出日】平成16年1月14日(2004.1.14)
【手続補正１】
【補正対象書類名】実用新案登録請求の範囲
【補正対象項目名】請求項２
【補正方法】変更
【補正の内容】
【請求項２】
突起部分の幅を使用者の首のサイズにあわせた請求項１記載の風呂用指圧器具。
【手続補正２】
【補正対象書類名】実用新案登録請求の範囲
【補正対象項目名】請求項３
【補正方法】変更
【補正の内容】
【請求項３】
ゴム製で、複数の突起を有する基板からなり、突起の高さは両端から中央に向かって除々に低くなるように形成された風呂用指圧器具。
(57)【要約】      （修正有）【課題】宛名書きが一回で多数回使用可能で、荷造り及び荷開きが簡単にできるなパッケージを提供する。【解決手段】パッケージの材質を折り畳みが容易な性質を持った布や化学繊維を使用し、荷造りには、再度の使用に十分耐えられる強度のバンドを使用する。また、宛名はカードとしパッケージのポケットに入れ換えのできるカード式とすることで、往復使用する場合には「送り人」と「受け取り人」のカードを差し替えればよい。【選択図】図１
0003102537.tif 000002
【実用新案登録請求の範囲】
【請求項１】
折り畳みが容易にできる堅牢な布材や化学繊維などを使用した小包便宅配便用袋形式の多回数往復使用折り畳み式パッケージ。
【請求項２】
略四角形略円形の袋形パッケージの開口部を切り込み開きにし蓋部に布チャックやバンド留め具を付けバンド荷作りし設錠開閉式袋形式の多回数往復使用折り畳み式パッケージ。
【請求項３】
送り人、受け取り人のポケット、その真下部に住所氏名社名などを表示したカード入れのポケットをつけ、住所氏名カードを送り人と受け取り人のポケットに入れ替え往復使用できるカード入れ替えポケットを袋形式パッケージの外部につけた多回数往復使用折り畳み式パッケージ。
【請求項４】
伝票類、空の袋形式多回数パーケージの「回送専用袋」入れポケットをつけ、回送専用袋を常に装着しておき空の袋形式多回数パーケージを、郵便ポストに入れられる大きさに折り畳み、回送専用袋に入れてポストにも投函できるようにした、回送専用袋つきの袋形式多回数往復使用折り畳み式パッケージ。
【考案の詳細な説明】
【技術分野】
【０００１】  本案は、郵便小包・宅急便などのパッケージに関するもので、受取り人と送り人の間を往復使用、または空きパッケージを回収して多回数使用するためのパッケージに関するものです。
【背景技術】
【０００２】  従来小包便や宅配便の包装は、主にダンボール箱を使用し送品の形の大きさに合わせて紐テープなどで荷造りし、その都度宛名を表記して送付しています。
到着した送品を出した空の包装材は、ほとんど再び送付用に使われることなくゴミとなっております。空き箱の回収再使用はされておらず、折り畳み式袋形式の多回数使用のパッケージはありません。
【考案が解決しようとする課題】
【０００３】  従来の技術で述べた送付用小包みパッケージは、その都度宛名を表記しなくてはならないという、宛名書きの問題があります。
また一度使っただけでゴミにしてしまうという、使い捨てのパッケージは資源、ゴミ処理など大きな問題があります。
【考案が解決するための手段】
【０００４】  上記の問題点を解決するため、パッケージの材質を折り畳みが容易な性質を持った布や化学繊維を使用し、再度の使用に十分耐えられる強度と構造のパッケージを作成します。荷造りは、再度の使用に十分耐えられる強度のバンドを使用し、容易に掛け外し出来る備錠を設置して荷造りします。荷造り手数が解消できます。
【０００５】  このパッケージは多回数使用しますので、宛名はカードとしパッケージのポケットに入れ換え多回数使用できるカード式です。なお、往復使用する場合には「送り人」「受け取り人」のカードだけを差し替えれば、宛名書きは一回ですみますす。宛名書き手数を解決しています。
【０００６】  空のパッケージは、折り畳みできる布製ですから重ね置きができます。また、空のパッケージだけを送りたいときは、三枚五枚とまとめて一緒に一個の大きさで回送できます。まとめ送りできるので回送費用の問題が軽減できます。
【０００７】  なお、空のパッケージを溜置きせず即時回送したい場合は、袋形式パッケージに装着してある「回送専用袋」に折り畳んで入れ、郵便ポストに投函して回送することもできます。
【考案を実施するための最良の形態】
【０００８】  考案の実施の形態を図面により説明します。
図１．は四角形の袋形式多回数使用パッケージを一例とした見取り図です。
（１）．はパッケージ本体。（２）は蓋の部分。（３）は布チャック装着部。（４）は角保護予備の折り込み部です。包装は角保護折り込み部を中に折り込み、蓋部を折り布チャックで止めます。この上に図２のバンドを掛けます。
▲１▼は「受け取り人」。▲１▼の左側が「送り人」の表示ランです。図表示略。
▲２▼は「受け取り人」の住所氏名カード入れポケット。▲３▼は「送り人」の住所氏名カード入れポケットです。このカードを差し替えることにより自由に往復送信ができます。
図２．は包装してバンドを掛けた荷作り完了図です。
（１）は本体。（２）はバンド掛け図。（３）は鍵をかけた見取り図です。
▲１▼は「受け取り人」。▲２▼は「送り人」。▲３▼は「住所氏名カード」。▲４▼は「回送専用袋」装着ポケットです。
図３．は、袋形式パッケージを折り畳み入れた「回送専用袋」の見取り図です。
（１）は「回送専用袋」本体。（２）は郵送の場合の「切手貼付スペース」。（３）は蓋の部分です。
【考案の効果】
【０００９】    本考案は上述のとおりであります。
【００１０】  宛名書きが一回で何回も使える。ゴミを出さない。資源を大切にする。荷造りが簡単にできる。荷開きが簡単にできる。
再使用でき多回数使えるからパッケージのコストが安価にできる。
空のパッケージ回送費が、まとめて返送できるので送料を安くできる。などなど、現代社会が直面しているゴミの問題が解決でき効果が上げられる。
【図面の簡単な説明】
【００１１】
【図１】は本考案の袋形式多回数使用折り畳み式パッケージの略角形を一例とした構造に関する説明見取り図です。
【図２】は本考案の袋形式パッケージの荷造りとバンド掛けと設錠、宛名の送、受信者の表記の位置と住所氏名カード入れポケットの設置位置。回送専用袋のポケット設置に関する説明見取り図です。
【図３】は空き袋形式パッケージの「回送専用袋」による郵送を一例にした回送表記面に関する説明図です。
【符号の説明】
図１（１）本体。（２）蓋。（３）布チャック（４）角折り予備部
▲１▼受取り人。▲２▼▲３▼住所氏名カード入りポケット
図２（１）本体。（２）バンド。（３）設錠。
▲１▼受け取り人。▲２▼送り人。▲３▼受け人住所氏名。▲４▼送り人住所氏名。▲５▼回送専用袋。
図３（１）回送専用袋の本体。（２）郵便切手貼付スペース。（３）蓋部。
【図１】
0003102537.tif 000003
【図２】
0003102537.tif 000004
【図３】
0003102537.tif 000005
【手続補正書】
【提出日】平成16年1月7日(2004.1.7)
【手続補正１】
【補正対象書類名】実用新案登録請求の範囲
【補正対象項目名】請求項１
【補正方法】変更
【補正の内容】
【請求項１】
折りたたみが容易にできる堅牢な防水した布や化学繊維などを使用した袋、封筒、一般通常の封緘方法の封筒または封緘糊代部を封筒の中に入れて行う封筒の封緘接着部に布チャック、ファスナーや再度の貼り剥がしが容易にできる粘着剤を使用装着し、内容や宛名を表示するカード差込み差し替え用のポケットをつけた再度使用できる封筒と袋形式パッケージ。
(57)【要約】【課題】従来の食器、食器具セットを収納するには既存の食器棚等を利用するしかなく、その為いざ使用する時には、戸棚の奥から取り出さねばならない事も多々あった。それは、従来の食器、食器具セット自体がインテリア装飾の素材にもなりえるというものではなかったといえるのである。【解決手段】箸差込み穴（４）を設けた自立もしくは壁等に固定された箸差込み板（３）に箸（２）を差込み、その状態をもって碗（１）のホルダーにすることができ、差込まれた２本の箸の間に碗（１）を設置することにより収納される。本考案は、必要な時に容易に取りだせるとともに、様々な場所におけるインテリアの美観の素材にもなりえる食器セットの収納形態を提供するものである。【選択図】図１
0003102540.tif 000002
【実用新案登録請求の範囲】
【請求項１】
箸差込み穴（４）を設けた箸差込み板（３）に箸（２）を差込み、その並行に差込まれた箸の間に碗（１）が収納されることを特徴とする食器、食器具セット。
【請求項２】
箸と碗がセットされた状態においては図１や図５の状態となりインテリア上の装飾の機能を有する。
その為に、食器棚等に収納する必要がなく、これ迄の食器、食器具のセットの様に食器棚等に収納しなくてもすみ、容易に取り出し、使用する事が出来るものである。
【考案の詳細な説明】
【技術分野】
【０００１】本考案は、箸、椀及びそれらを支持するホルダーからなる食器セットに関するものである。
【背景技術】
【０００２】従来の食器、食器具セットを収納するには既存の食器棚等を利用するしかなく、しかも美的観点からもそれら食器、食器具セットは食器棚等に収納する以外に方法はなかったと言える。その為いざ使用しようとした場合には戸棚の奥から取り出さねばならない事が多々あったのである。
【考案の開示】
【考案が解決しようとする課題】
【０００３】上記従来の食器、食器具セットは、ダイニングルームやリビングルーム、飲食店や食器等の販売店において実用性も兼ね備え、なおかつインテリア装飾の素材にもなりえるというものではなかった。【０００４】そこで本考案は、上記従来の方法における問題点を解決するために考案されたものであり、すなわちその課題は必要な時に容易に取りだせるとともに、様々な場所におけるインテリアの美観の素材にもなりえる食器セットの収納形態を提供するものである。
【課題を解決するための手段】
【０００５】本考案においては、箸差込み穴（４）を設けた自立もしくは壁等に固定された箸差込み板（３）に箸（２）を差込み、その状態をもって碗（１）のホルダーにすることができ、並行に差込まれた箸の間に碗（１）を設置することにより収納される。
【考案の効果】
【０００６】箸そのものが碗ホルダーとなる為、全体を構成する部品は小数ですみ、又食事の際、図１の５脚セット等は容易に食卓に設置することもできる。しかもそれ自体がインテリア性のある装飾品にもなりうることで、食器棚におさめる必要もないのである。
【考案を実施するための最良の形態】
【０００７】本考案を実施するための最良の形態には図１及び図５、図７や図８等がある。
また、箸差込み穴（４）の形状は箸（２）の形状に応じて自由に選択してよい。
箸差込み板の形状も使用する場所の状況、デザインや機能面から採用すればよい。
【産業上の利用可能性】
【図面の簡単な説明】
【０００８】
【０００９】
【図１】本考案の特徴を容易に理解する為の５脚セット例の斜視図である。
【図２】５脚セット例の右側面図である。
【図３】５脚セット例の平面図である。
【図４】５脚セット例の背面図である。
【図５】店鋪等における使用例の平面図である。
【図６】店鋪等における使用例の右側面図である。
【図７】３脚セット例の右側面図である。
【図８】２脚セット例の右側面図である。
【符号の説明】
【００１０】１  箸
２  碗
３  箸差込み板
４  箸差込み穴
５  自立用脚
６  壁面取付用ステー
７  壁面
【図１】
0003102540.tif 000003
【図２】
0003102540.tif 000004
【図３】
0003102540.tif 000005
【図４】
0003102540.tif 000006
【図５】
0003102540.tif 000007
【図６】
0003102540.tif 000008
【図７】
0003102540.tif 000009
【図８】
0003102540.tif 000010
【手続補正書】
【提出日】平成16年1月28日(2004.1.28)
【手続補正１】
【補正対象書類名】実用新案登録請求の範囲
【補正対象項目名】全文
【補正方法】変更
【補正の内容】
【実用新案登録請求の範囲】
【請求項１】
箸差込み穴（４）を設けた箸差込み板（３）に箸（２）を差込み、その並行に差込まれた箸の間に碗（１）が収納されることを特徴とする食器、食器具セット。
(57)【要約】      （修正有）【課題】歯と歯茎の洗浄とマッサージが一本の歯ブラシで簡単利便に出来、多様なマッサージ効果を提供する【解決手段】スポンジゴ厶平面1にＶ型凹部2をもたせ、細い切り溝3により、ゴム平面の細分化を図り、多様な弾性とクッション性が発揮できるようにする。更に、このマッサージ用スポンジゴムブラシを歯ブラシの根の部分の反対側に定着し、歯ブラシとマッサージ用スポンジゴム歯ブラシを一体化し、一本の歯ブラシとした。【選択図】図2
0003102538.tif 000002
【実用新案登録請求の範囲】
【請求項１】
ブラシ歯ブラシの根元部分（反対側）に、スポンジゴムの表面に任意一定数のＶ型凹部と細い切溝を設定したるものを定着し、ブラシ歯ブラシとスポンジゴムのマッサージ歯ブラシを一体にしたるもの。
【考案の詳細な説明】
【目的】
歯と歯茎の健康管理は歯の洗浄が主体ですが、歯の根である歯茎の健康管理も重要であります。当考案の目的は、歯茎のマッサージを重点にし、しかも歯の洗浄も一本の歯ブラシで使用出来る利便を提供するものであります。
【考案の効果】
従来の歯磨き作業はブラシ歯ブラシによる歯の洗浄が主体で、亦歯茎のマッサージが歯の健康管理に必要と分かりながら、ブラシ歯ブラシと、歯茎マッサージ用歯ブラシとの二本の使い分けが面倒でした。
当考案の両面によるブラシ歯ブラシとスポンジゴムによるマッサージ歯ブラシの一本化により、洗浄とマッサージが簡単に利便に行う事が出来ます。
歯と歯茎のマッサージの普及の一助になるものであります。
【符号の説明】
符号１．スポンジゴム
２．Ｖ型凹部分
３．細い切溝
４．ブラシ
【図面の簡単な説明】▲１▼のスポンジゴムは表面が平面であり、良的な弾性とクッション性があるので心地よいマッサージ効果があります。
▲２▼、▲３▼のＶ型凹部分と細い切溝により、ゴム平面の細分化によってマッサージ時に歯と歯茎の凹凸の多様に効果的なマッサージが出来ます。
▲４▼ブラシ歯ブラシは歯の洗浄が出来ます。
図の側面図はマッサージ用歯ブラシと、洗浄用ブラシ歯ブラシの一体化したるものです。
【図１】
0003102538.tif 000003
【図２】
0003102538.tif 000004
【手続補正書】
【提出日】平成16年1月6日(2004.1.6)
【手続補正１】
【補正対象書類名】実用新案登録請求の範囲
【補正対象項目名】全文
【補正方法】変更
【補正の内容】
【実用新案登録請求の範囲】
【請求項１】
．ブラシが植設された側の裏側に、表面にＶ型凹部と細い溝が形成された・マッサージ用のスポンジゴムを取り付けたことを特徴とする歯ブラシ。
【手続補正２】
【補正対象書類名】明細書
【補正対象項目名】全文
【補正方法】変更
【補正の内容】
【考案の詳細な説明】
【目的】
【０００１】  歯と歯茎の健康管理は歯の洗浄が主体ですが、歯の根である歯茎の健康管理も重要であります。当考案の目的は、歯茎のマッサージを重点にし、しかも歯の洗浄も一本の歯ブラシで使用出来る利便を提供するものであります。
【考案の効果】
【０００２】  従来の歯磨き作業はブラシ歯ブラシによる歯の洗浄が主体で、亦歯茎のマッサージが歯の健康管理に必要と分かりながら、ブラシ歯ブラシと、歯茎マッサージ用歯ブラシとの二本の使い分けが面倒でした。
当考案の両面によるブラシ歯ブラシとスポンジゴムによるマッサージ歯ブラシの一本化により、洗浄とマッサージが簡単に利便に行う事が出来ます。
歯と歯茎のマッサージの普及の一助になるものであります。
【図面の簡単な説明】
【０００３】
【図１】スポンジゴムによるマッサージ用歯ブラシと歯の洗浄用歯ブラシの  平面図
【図２】図の側面図はマッサージ用歯ブラシと、洗浄用ブラシ歯ブラシの一体化したるものです。▲１▼のスポンジゴムは表面が平面であり、良的な弾性とクッション性があるので心地よいマッサージ効果があります。▲２▼、▲３▼のＶ型凹部分と細い切溝により、ゴム平面の細分化によってマッサージ時に歯と歯茎の凹凸の多様に効果的なマッサージが出来ます。▲４▼ブラシ歯ブラシは歯の洗浄が出来ます。
【符号の説明】
【０００４】符号１．スポンジゴム
２．Ｖ型凹部分
３．細い切溝
４．ブラシ
(57)【要約】      （修正有）【課題】トイレに安価な設備費で中水を利用する。【解決手段】タンク１の洗浄弁２を開くと、フロート弁３とフロートスイッチ４が働き上水が出始め手洗水が吐出する。スイッチ４の働きで中水ポンプ６も動くが空気穴９の働きで配管内は空で、管内を中水で満たすのとピストンシリンダー８部の水圧ロスで、シリンダーがフロート弁を押し上げるのに若干時間が掛かり手洗水が出る時間はある。やがてフロート弁を押し上げ上水は止まる。後はフロートスイッチが働くまで中水が出る。スイッチが働きポンプが止まると空気穴９により配管内の中水は中水タンクに戻る。また、シリンダーの圧力抜き穴１１の働きで中水の圧力が抜けて、フロート弁の破損はない。ポンプ６が運転中は、空気穴９より中水が吐出するがタンクの中なので問題はない。【選択図】図１
0003102536.tif 000002
【実用新案登録請求の範囲】
【請求項１】
タンクのフロート弁の空気玉の下にピストン、シリンダーを設け中水の圧力で、そのシリンダーを押し上げフロート弁を止める事を特徴とする中水利用装置。
【請求項２】
タンクに上水用フロート弁、中水ポンプ用フロートスイッチを設け自動的に、上水は手洗い水と中水断水時のみ使用する中水利用装置。
【考案の詳細な説明】
【考案が解決しようとする課題】
【０００１】  従来、中水をトイレの洗浄水として利用する装置にはおおむね２種類あり、タンクにフロート弁を２個設け手動により上水，中水を選択する手間の掛かるものか、高額な設備費をかけて（センサー、電磁弁等を使用）自動化するか、いずれにしても節約できる水道料とのバランスが悪く普及していなかった。
【課題を解決するための手段】
【０００２】  上記問題を解決するために、タンクの上水用フロート弁の下にピストンを固定し、中水の圧力で上下するシリンダーを設ける。ピストンとシリンダーには適度の隙間があり、中水の供給と空気玉への過度の圧力を防ぐようにする。中水の圧力によりシリンダーが上がり、フロート弁の空気玉を押し上げ、上水を止め中水を優先的に利用するようにした。
【考案の効果】
【０００３】  タンクに、上水用フロート弁、中水用フロートスイッチが設けられ、フロート弁の空気玉の下には中水の給水圧により持ち上がるシリンダーを取り付ける。まず洗浄弁を開くと水位が下がり、２ヶ所のフロートが働き手洗吐出口より上水が吐出する。中水もフロートスイッチによりポンプも働くが、配管内の空気がぬけるまでの時間とピストンシリンダー部の圧力ロスにより手洗水吐出時間は確保される。また中水断水時にはシリンダーが動かず上水が出つづけ、通常どおりフロート弁が働き止水しトイレが使用できる。
【図面の簡単な説明】
【図１】  タンクの満水時の断面図。
【図２】  洗浄弁が開き、上水が手洗水として出ている時の断面図。
【図３】  洗浄弁が閉まり中水ポンプが働きシリンダーが上がり、上水が止まっているときの断面図
【符号の説明】
▲１▼  タンク
▲２▼  洗浄弁
▲３▼  フロート弁
▲４▼  フロートスイッチ
▲５▼  手洗水吐出口
▲６▼  中水ポンプ
▲７▼  中水タンク
▲８▼  ピストンシリンダー
▲９▼  空気穴
▲１０▼  中水配管
▲１１▼  圧力抜き穴
▲１２▼  水面
【図１】
0003102536.tif 000003
【図２】
0003102536.tif 000004
【図３】
0003102536.tif 000005
【手続補正書】
【提出日】平成15年12月24日(2003.12.24)
【手続補正１】
【補正対象書類名】実用新案登録請求の範囲
【補正対象項目名】全文
【補正方法】変更
【補正の内容】
【実用新案登録請求の範囲】
【請求項１】
タンクのフロー弁の空気玉の下にピストン、シリンダーを設け中水の圧力で、そのシリンダーを押し上げフロート弁を止める事を特徴とする中水利用装置。